【手続補正書】
【提出日】令和2年9月29日(2020.9.29)
【手続補正１】
【補正対象書類名】特許請求の範囲
【補正対象項目名】全文
【補正方法】変更
【補正の内容】
【特許請求の範囲】
【請求項１】
ディスプレイデバイス（２０）に表示されるビデオコンテンツであって、少なくとも１つのアプリケーションウィンドウ（３５）を含むビデオコンテンツをレンダリングし、当該ディスプレイデバイスを周期的にリフレッシュするように動作可能なコンピューティングデバイス（１０）と、
前記少なくとも１つのアプリケーションウィンドウを含む合成面であるビデオフレームを構成するためのコマンドを起動して実行し、前記ビデオフレームを前記ディスプレイデバイスに配信するためにバッファフリップを開始するように動作可能なデスクトップコンポジタ（９０）と、
レンダリングされたビデオコンテンツが検出された場合に、ディスプレイのリフレッシュの間の複数のインスタンスで前記デスクトップコンポジタを起動させ、前記コマンドを実行させるように動作可能な高解像度タイマ（９２）と、を備える、
システム。
【請求項２】
前記ディスプレイデバイスは、動的リフレッシュレートで動作可能である、
請求項１のシステム。
【請求項３】
前記コンピューティングデバイスは、オペレーティングシステム（８０）を含み、前記デスクトップコンポジタは、前記オペレーティングシステムの一部である、
請求項１のシステム。
【請求項４】
前記高解像度タイマは、前記オペレーティングシステムの一部である、
請求項３のシステム。
【請求項５】
ビデオドライバ（８５）を備え、前記高解像度タイマは、前記ビデオドライバの一部である、
請求項１のシステム。
【請求項６】
前記ディスプレイデバイス（２０）は、垂直同期（ＶＳＹＮＣ）タイミングが有効な場合に動作し、前記高解像度タイマは、前記ＶＳＹＮＣタイミングとは無関係に前記デスクトップコンポジタを起動させ、前記コマンドを実行させるように動作可能である、
請求項１のシステム。
【請求項７】
前記高解像度タイマは、次のリフレッシュの前に、バッファがレンダリングに利用可能であることを前記デスクトップコンポジタに報告するように動作可能である、
請求項１のシステム。
【請求項８】
前記高解像度タイマは、前記ビデオコンテンツに基づいて動的に調整可能な周波数で動作するように構成されている、
請求項１のシステム。
【請求項９】
ディスプレイデバイス（２０）に表示されるビデオコンテンツであって、少なくとも１つのアプリケーションウィンドウ（３５）を含むビデオコンテンツをレンダリングし、当該ディスプレイデバイスを周期的にリフレッシュすることと、
前記少なくとも１つのアプリケーションウィンドウを含む合成面であるビデオフレームを構成するためのコマンドを起動して実行し、前記ビデオフレームを前記ディスプレイデバイスに配信するようにデスクトップコンポジタ（９０）を動作させることと、
レンダリングされたビデオコンテンツが検出された場合に、ディスプレイのリフレッシュの間の複数のインスタンスで前記デスクトップコンポジタを起動させ、前記コマンドを実行させるように高解像度タイマ（９２）を動作させることと、を含む、
方法。
【請求項１０】
前記ディスプレイデバイスを動的リフレッシュレートで動作させる、
請求項９の方法。
【請求項１１】
前記デスクトップコンポジタは、オペレーティングシステム（８０）の一部である、
請求項９の方法。
【請求項１２】
前記高解像度タイマは、前記オペレーティングシステムの一部である、
請求項１１の方法。
【請求項１３】
前記高解像度タイマは、ビデオドライバ（８５）の一部である、
請求項９の方法。
【請求項１４】
前記ディスプレイデバイスを、垂直同期（ＶＳＹＮＣ）タイミングが有効な場合に動作させ、前記高解像度タイマは、前記ＶＳＹＮＣタイミングとは無関係に前記デスクトップコンポジタを起動させ、前記コマンドを実行させる、
請求項９の方法。
【請求項１５】
次のリフレッシュの前に、バッファがレンダリングに利用可能であることを前記デスクトップコンポジタに報告するように前記高解像度タイマを動作させることを含む、
請求項９の方法。
【請求項１６】
前記ビデオコンテンツに基づいて動的に調整可能な周波数で前記高解像度タイマを動作させることを含む、
請求項９の方法。
【請求項１７】
ディスプレイデバイス（２０）を有し、前記ディスプレイデバイスに表示されるビデオコンテンツであって、少なくとも１つのアプリケーションウィンドウ（３５）を含むビデオコンテンツをレンダリングし、当該ディスプレイデバイスを周期的にリフレッシュするように動作可能な第１コンピューティングシステム（１５）を含むシステムにおける方法であって、
前記ディスプレイデバイスに表示されるビデオコンテンツをレンダリングし、当該ディスプレイデバイスを周期的にリフレッシュすることと、
前記少なくとも１つのアプリケーションウィンドウを含む合成面であるビデオフレームを構成するためのコマンドを起動して実行し、前記ビデオフレームを前記ディスプレイデバイスに配信するためにバッファフリップを開始するようにデスクトップコンポジタ（９０）を動作させることと、
レンダリングされたビデオコンテンツが検出された場合に、ディスプレイのリフレッシュの間の複数のインスタンスで前記デスクトップコンポジタを起動させ、前記コマンドを実行させるように高解像度タイマ（９２）を動作させることと、を含む、
方法。
【請求項１８】
前記ディスプレイデバイスを動的リフレッシュレートで動作させる、
請求項１７の方法。
【請求項１９】
前記デスクトップコンポジタは、オペレーティングシステム（８０）の一部である、
請求項１７の方法。
【請求項２０】
前記高解像度タイマは、前記オペレーティングシステムの一部である、
請求項１９の方法。
【請求項２１】
前記高解像度タイマは、ビデオドライバ（８５）の一部である、
請求項１７の方法。
【請求項２２】
前記ディスプレイデバイスを、垂直同期（ＶＳＹＮＣ）タイミングが有効な場合に動作させ、前記高解像度タイマは、前記ＶＳＹＮＣタイミングとは無関係に前記デスクトップコンポジタを起動させ、前記コマンドを実行させる、
請求項１７の方法。
【請求項２３】
次のリフレッシュの前に、バッファがレンダリングに利用可能であることを前記デスクトップコンポジタに報告するように前記高解像度タイマを動作させることを含む、
請求項１７の方法。
【請求項２４】
方法を実行するためのコンピュータ可読命令を含むコンピュータ可読記憶媒体であって、
前記方法は、
ディスプレイデバイス（２０）に表示されるビデオコンテンツであって、少なくとも１つのアプリケーションウィンドウ（３５）を含むビデオコンテンツをレンダリングし、当該ディスプレイデバイスを周期的にリフレッシュすることと、
前記少なくとも１つのアプリケーションウィンドウを含む合成面であるビデオフレームを構成するためのコマンドを起動して実行し、前記ビデオフレームを前記ディスプレイデバイスに配信するためのバッファフリップを開始するようにデスクトップコンポジタ（９０）を動作させることと、
レンダリングされたビデオコンテンツが検出された場合に、ディスプレイのリフレッシュの間の複数のインスタンスで前記デスクトップコンポジタを起動させ、前記コマンドを実行させるように高解像度タイマ（９２）を動作させることと、を含む、
コンピュータ可読記憶媒体。